(57)【要約】【課題】ＣＭの挿入位置が同じとなる番組を複数回にわたって録画した場合に、ＣＭカットした再生を容易にするプレイリストの生成を簡単化する。【解決手段】プレイリストに基づく再生を指示されたときには、記録再生手段１０に、再生対象となる映像音声情報に対応付けられたプレイリストに従って再生を行わせる構成において、取得手段２１によって取得されたプレイリストである原プレイリストにおけるセルの区切り位置と同じ区切り位置を有するプレイリストである複製プレイリストを生成する複製手段２２を備え、複製プレイリストを、原プレイリストが対応付けられていた映像音声情報とは異なる映像音声情報に対応付けている。【選択図】  図１
2006331502.tif 000002
【特許請求の範囲】
【請求項１】
商用放送を受信して得られた映像音声情報をディスクドライブ部を用いて光ディスクに記録するとともに、光ディスクに記録された映像音声情報をディスクドライブ部を用いて再生する記録再生手段と、
予め生成されたプレイリストを取得する取得手段とを備え、
プレイリストに基づく再生を指示されたときには、記録再生手段に、再生対象となる映像音声情報に対応付けられたプレイリストに従った再生を行わせるディスク記録再生装置において、
取得手段によって取得されたプレイリストである原プレイリストにおけるセルの区切り位置と同じ区切り位置を有するプレイリストである複製プレイリストを生成する複製手段と、
複製プレイリストにおける区切り位置への対応付けが可能な位置である標識位置を、複製プレイリストに対応付けられた映像音声情報である適用映像音声情報中に探すことを求め、適用映像音声情報中に標識位置が探し求められたときには、探し求められた標識位置を示す情報を送出する標識位置指示手段と、
複製プレイリストにおける区切り位置であって標識位置に対応する区切り位置と、探し求められた標識位置との差異分を求めるとともに、複製プレイリストにおける全ての区切り位置を求めた差異分を用いて修正する区切位置修正手段とを備え、
複製プレイリストを、原プレイリストが対応付けられていた映像音声情報とは異なる映像音声情報に対応付けし、
取得手段に取得させるプレイリストの指定は、取得対象となるプレイリストが記録された光ディスクをディスクドライブ部に挿入し、読み取らせることでもって行われ、
複製プレイリストの区切り位置を個別に修正可能にしたことを特徴とするディスク記録再生装置。
【請求項２】
商用放送を受信して得られた映像音声情報をディスクドライブ部を用いて光ディスクに記録するとともに、光ディスクに記録された映像音声情報をディスクドライブ部を用いて再生する記録再生手段と、
予め生成されたプレイリストを取得する取得手段とを備え、
プレイリストに基づく再生を指示されたときには、記録再生手段に、再生対象となる映像音声情報に対応付けられたプレイリストに従った再生を行わせるディスク記録再生装置において、
取得手段によって取得されたプレイリストである原プレイリストにおけるセルの区切り位置と同じ区切り位置を有するプレイリストである複製プレイリストを生成する複製手段を備え、
複製プレイリストを、原プレイリストが対応付けられていた映像音声情報とは異なる映像音声情報に対応付けることを特徴とするディスク記録再生装置。
【請求項３】
取得手段に取得させるプレイリストの指定は、取得対象となるプレイリストが記録された光ディスクをディスクドライブ部に挿入し、読み取らせることでもって行われることを特徴とする請求項２に記載のディスク記録再生装置。
【請求項４】
複製プレイリストにおける区切り位置への対応付けが可能な位置である標識位置を、複製プレイリストに対応付けられた映像音声情報である適用映像音声情報中に探すことを求め、適用映像音声情報中に標識位置が探し求められたときには、探し求められた標識位置を示す情報を送出する標識位置指示手段と、
複製プレイリストにおける区切り位置であって標識位置に対応する区切り位置と、探し求められた標識位置との差異分を求めるとともに、複製プレイリストにおける全ての区切り位置を求めた差異分を用いて修正する区切位置修正手段とを備えたことを特徴とする請求項２または請求項３に記載のディスク記録再生装置。
【発明の詳細な説明】
【技術分野】
【０００１】
本発明は、プレイリストに従って映像音声情報の再生を行うディスク記録再生装置に係り、より詳細には、所定の映像音声情報のために予め生成されたプレイリストを、異なる映像音声情報のためのプレイリストとして用いるディスク記録再生装置に関する。
【背景技術】
【０００２】
民放から放送される番組にはＣＭが含まれているので、前記番組を録画するとＣＭも同時に録画される。その一方で、再生時にはＣＭを飛ばし、本編のみを視聴したいときがある。このような場合、録画した番組のＣＭの開始時刻と終了時刻とをチャプタの境とするプレイリストを作成することが多い。そして、このプレイリストを用いて番組を再生するときでは、ＣＭが始まったとき、次のチャプタの再生を指示するスキップアップキーを押下すると、再生位置がＣＭの終了位置まで移動する。つまり、番組をＣＭカットに準じる状態で視聴することができる。
【０００３】
上記した再生を可能にするプレイリストを作成する場合、例えば、１時間分の番組を中断することなく録画する。そして後、メニュー画面を開くことによって、編集モードに移行する。次いで、速送り等を用いながら再生を行うことによって、チャプタの区切りとなる位置、すなわち、ＣＭの開始位置や終了位置を探す。そして、探した開始位置や終了位置をチャプタの区切りとして指定する。この操作を繰り返すことによって、上記したプレイリストを作成することができる。つまり、プレイリストを作成する作業は、単純作業の繰り返しとなる。従って、新たに番組を録画する毎に、録画した番組のためのプレイリストを作成することは、煩雑に感じられる作業となる。
【０００４】
このため、ユーザ自らがプレイリストを作成しない場合であっても、録画した番組のためのプレイリストを入手可能にする技術が提案されている（第１の従来技術とする）。すなわち、この技術では、録画した番組の再生の手順を示すユーザ定義プログラムチェーンが、放送局あるいは個人によって作成され、作成されたユーザ定義プログラムチェーンが外部サーバに蓄積されている場合、外部サーバに蓄積されたユーザ定義プログラムチェーンをダウンロードしている。そして、ダウンロードしたユーザ定義プログラムチェーンから、ユーザが録画した番組のためのプレイリストを生成することが開示されている。
【０００５】
なお、外部サーバに蓄積されたユーザ定義プログラムチェーンのうち、どのユーザ定義プログラムチェーンを取得するかについては、ユーザの側において録画した番組の放送された日時情報、チャンネル情報、および、地域情報と、外部サーバに蓄積されているユーザ定義プログラムチェーンの日時情報、チャンネル情報、および、地域情報とを比較することにより、取得するユーザ定義プログラムチェーンを決定可能であることも開示されている。言い換えるなら、ユーザが録画した番組の放送の日時とチャンネルと地域とが一致するユーザ定義プログラムチェーンが、ユーザが録画した番組に使用可能なユーザ定義プログラムチェーンとなることが開示されている（例えば、特許文献１参照）。
【０００６】
また、以下に示す技術が提案されている（第２の従来技術とする）。すなわち、この技術では、複数チャンネルの音声情報を光ディスクに記録する場合において、録音を行う前に、録音される予定の音声情報の再生手順を示すプレイリストを生成している。また、そのプレイリストを装置内部に記憶している。そして、録音時では、既に生成したプレイリストによって再生が可能となるように、順次、音声情報を記録している。従って、録音途中で停電等の不具合が生じ、録音後に光ディスクにプレイリストを書き込むという動作を行えなくなった場合であっても、装置内部に記憶したプレイリストに従って再生を行う場合では、不具合が生じる前に録音された音声情報を再生することができる（例えば、特許文献２参照）。
【特許文献１】特開２００２−３２５２２１号公報（第０１２３、０１２４段落）
【特許文献２】特開２００１−２６６５４５号公報
【発明の開示】
【発明が解決しようとする課題】
【０００７】
しかしながら、第１の従来技術を用いる場合には、以下に示す問題を生じていた。すなわち、外部サーバ中に、録画した番組の放送の日時、チャンネル、および、地域が一致するプレイリストが見つかるとしても、そのプレイリストが、ＣＭとなったときにスキップアップキーを押下すると、そのＣＭの終わりの位置から再生を開始することを可能にするプレイリストであることを期待することはむつかしい。すなわち、外部サーバを検索したときであっても、ユーザが要求する方法で再生を行うプレイリストが見つからない可能性は高い。従って、このような場合では、煩雑の感じを抱きながらも、ユーザ自らが、単純作業を繰り返すことでもって、ＣＭカットした再生を容易にするプレイリストを作成するしか方法がなかった。
【０００８】
第２の従来技術は、録音される音声情報の記録位置をプレイリストによって指定することが可能な構成を前提としている。すなわち、プレイリストの機能が、再生のみならず、記録時にも機能する構成において成立する技術となっている。一方、ＤＶＤレコーダ等の、商用放送を録画する装置では、プレイリストの機能は再生時にのみ有効となる。このため、第２の従来技術は適用することが困難な技術となっている。
【０００９】
本発明は、上記の問題点を解決するため創案されたものであり、その目的は、連続ドラマ等のように、ＣＭの挿入位置が同じとなる番組を複数回にわたって録画した場合に、ＣＭカットした再生を容易にするプレイリストの生成を簡単化することのでき、且つ、予め生成されたプレイリストを記憶するための記憶手段を不要とすることのでき、且つ、録画の開始時刻がずれたときにも、プレイリストの区切り位置をＣＭの挿入位置に一致させることのでき、且つ、任意の区切り位置を修正することのできるディスク記録再生装置を提供することにある。
【００１０】
また本発明の目的は、予め生成されたプレイリストの複製である複製プレイリストを、元のプレイリストが対応付けられていた映像音声情報とは異なる映像音声情報に対応付けることにより、連続ドラマ等のように、ＣＭの挿入位置が同じとなる番組を複数回にわたって録画した場合に、ＣＭカットした再生を容易にするプレイリストの生成を簡単化することのできるディスク記録再生装置を提供することにある。
【００１１】
また、上記目的に加え、複製の対象となるプレイリストの指定を、対象となるプレイリストが記録された光ディスクをディスクドライブ部に挿入する方法とすることにより、予め生成されたプレイリストを記憶するための記憶手段を不要とすることのできるディスク記録再生装置を提供することにある。
【００１２】
また、上記目的に加え、複製プレイリストが対応付けられる番組に対して、プレイリストにおける区切り位置との対応付けが可能な標識位置を印付け、印付けされた位置とプレイリストにおける区切り位置との差異に基づいて、プレイリストの区切り位置の全てを修正することにより、録画の開始時刻がずれたときにも、プレイリストの区切り位置をＣＭの挿入位置に一致させることのできるディスク記録再生装置を提供することにある。
【課題を解決するための手段】
【００１３】
上記の課題を解決するため、本発明に係るディスク記録再生装置は、商用放送を受信して得られた映像音声情報をディスクドライブ部を用いて光ディスクに記録するとともに、光ディスクに記録された映像音声情報をディスクドライブ部を用いて再生する記録再生手段と、予め生成されたプレイリストを取得する取得手段とを備え、プレイリストに基づく再生を指示されたときには、記録再生手段に、再生対象となる映像音声情報に対応付けられたプレイリストに従った再生を行わせるディスク記録再生装置に適用している。そして、取得手段によって取得されたプレイリストである原プレイリストにおけるセルの区切り位置と同じ区切り位置を有するプレイリストである複製プレイリストを生成する複製手段と、複製プレイリストにおける区切り位置への対応付けが可能な位置である標識位置を、複製プレイリストに対応付けられた映像音声情報である適用映像音声情報中に探すことを求め、適用映像音声情報中に標識位置が探し求められたときには、探し求められた標識位置を示す情報を送出する標識位置指示手段と、複製プレイリストにおける区切り位置であって標識位置に対応する区切り位置と、探し求められた標識位置との差異分を求めるとともに、複製プレイリストにおける全ての区切り位置を求めた差異分を用いて修正する区切位置修正手段とを備え、複製プレイリストを、原プレイリストが対応付けられていた映像音声情報とは異なる映像音声情報に対応付けし、取得手段に取得させるプレイリストの指定は、取得対象となるプレイリストが記録された光ディスクをディスクドライブ部に挿入し、読み取らせることでもって行われ、複製プレイリストの区切り位置を個別に修正可能にしている。
【００１４】
すなわち、ＣＭカットした再生を容易にする原プレイリストが対応付けられている映像音声情報と複製プレイリストが対応つけられる映像音声情報とが、ＣＭの挿入位置が同じとなるときでは、複製という簡単な操作によって生成された複製プレイリストは、ＣＭカットした再生を容易にするプレイリストとなる。また、予め生成されたプレイリストを装置内部に記憶する必要がない。また、録画の開始時刻のずれは、録画された映像音声情報において、ＣＭの挿入位置の全てを同じ時間分だけずれさせるので、標識位置に対応する区切り位置と標識位置とのずれ量は、録画の開始時刻のずれ分を示す。従って、求めた差異分を用いて、区切り位置の全てを修正すると、複製プレイリストにおける区切り位置は、ＣＭの挿入位置に対応する位置となる。また、区切り位置を個別に修正できる。
【００１５】
また本発明に係るディスク記録再生装置は、商用放送を受信して得られた映像音声情報をディスクドライブ部を用いて光ディスクに記録するとともに、光ディスクに記録された映像音声情報をディスクドライブ部を用いて再生する記録再生手段と、予め生成されたプレイリストを取得する取得手段とを備え、プレイリストに基づく再生を指示されたときには、記録再生手段に、再生対象となる映像音声情報に対応付けられたプレイリストに従って再生を行わせるディスク記録再生装置に適用している。そして、取得手段によって取得されたプレイリストである原プレイリストにおけるセルの区切り位置と同じ区切り位置を有するプレイリストである複製プレイリストを生成する複製手段を備え、複製プレイリストを、原プレイリストが対応付けられていた映像音声情報とは異なる映像音声情報に対応付けている。
【００１６】
すなわち、ＣＭカットした再生を容易にする原プレイリストが対応付けられている映像音声情報と複製プレイリストが対応つけられる映像音声情報とが、ＣＭの挿入位置が同じとなるときでは、複製という簡単な操作によって生成された複製プレイリストは、ＣＭカットした再生を容易にするプレイリストとなる。
【００１７】
また、上記構成に加え、取得手段に取得させるプレイリストの指定は、取得対象となるプレイリストが記録された光ディスクをディスクドライブ部に挿入し、読み取らせることでもって行われるようになっている。すなわち、予め生成されたプレイリストを装置内部に記憶する必要がない。
【００１８】
また、上記構成に加え、複製プレイリストにおける区切り位置への対応付けが可能な位置である標識位置を、複製プレイリストに対応付けられた映像音声情報である適用映像音声情報中に探すことを求め、適用映像音声情報中に標識位置が探し求められたときには、探し求められた標識位置を示す情報を送出する標識位置指示手段と、複製プレイリストにおける区切り位置であって標識位置に対応する区切り位置と、探し求められた標識位置との差異分を求めるとともに、複製プレイリストにおける全ての区切り位置を求めた差異分を用いて修正する区切位置修正手段とを備えている。
【００１９】
すなわち、録画の開始時刻のずれは、録画された映像音声情報において、ＣＭの挿入位置の全てを同じ時間分だけずれさせるので、標識位置に対応する区切り位置と標識位置とのずれ量は、録画の開始時刻のずれ分を示す。従って、求めた差異分を用いて、区切り位置の全てを修正すると、複製プレイリストにおける区切り位置は、ＣＭの挿入位置に対応する位置となる。
【発明の効果】
【００２０】
本発明によれば、ＣＭカットした再生を容易にする原プレイリストが対応付けられている映像音声情報と複製プレイリストが対応つけられる映像音声情報とが、ＣＭの挿入位置が同じとなるときでは、複製という簡単な操作によって生成された複製プレイリストは、ＣＭカットした再生を容易にするプレイリストとなる。また、予め生成されたプレイリストを装置内部に記憶する必要がない。また、標識位置に対応する区切り位置と標識位置とのずれ量を用いて、区切り位置の全てを修正すると、複製プレイリストにおける区切り位置は、ＣＭの挿入位置に対応する位置となる。また、区切り位置を個別に修正できる。このため、連続ドラマ等のように、ＣＭの挿入位置が同じとなる番組を複数回にわたって録画した場合に、ＣＭカットした再生を容易にするプレイリストの生成を簡単化することができ、且つ、予め生成されたプレイリストを記憶するための記憶手段を不要とすることができ、且つ、録画の開始時刻がずれたときにも、プレイリストの区切り位置をＣＭの挿入位置に一致させることができ、且つ、任意の区切り位置を修正することができる。
【００２１】
また本発明によれば、ＣＭカットした再生を容易にする原プレイリストが対応付けられている映像音声情報と複製プレイリストが対応つけられる映像音声情報とが、ＣＭの挿入位置が同じとなるときでは、複製という簡単な操作によって生成された複製プレイリストは、ＣＭカットした再生を容易にするプレイリストとなる。このため、連続ドラマ等のように、ＣＭの挿入位置が同じとなる番組を複数回にわたって録画した場合に、ＣＭカットした再生を容易にするプレイリストの生成を簡単化することができる。
【００２２】
また、さらに、予め生成されたプレイリストを装置内部に記憶しておく必要がないため、予め生成されたプレイリストを記憶するための記憶手段を不要とすることができる。
【００２３】
また、さらに、標識位置に対応する区切り位置と標識位置とのずれ量を用いて、区切り位置の全てを修正すると、複製プレイリストにおける区切り位置は、ＣＭの挿入位置に対応する位置となる。このため、録画の開始時刻がずれたときにも、プレイリストの区切り位置をＣＭの挿入位置に一致させることができる。
【発明を実施するための最良の形態】
【００２４】
以下、本発明の実施の形態について図を参照して説明するが、その説明に先立ち、本発明の着目点について説明する。
【００２５】
毎週の連続ドラマ等では、第１回あるいは最終回といったような特別の回を除くと、毎回放送される番組においては、放送の開始時刻から同じ時間が経過したときにＣＭが始まる。また、ＣＭの長さは同じとなっている。従って、例えば、第２回目の放送分について、ＣＭのそれぞれの開始位置と終了位置とを、画面を再生しながら指示して生成したプレイリストと、第３回目の放送分について同様の方法を用いて生成したプレイリストとは、同じ区切り位置を有するプレイリストとなる。すなわち、第２回目の放送分のプレイリストを生成するときでは、生成したプレイリストは、第３回目以降の放送分のプレイリストとして使用可能となる。
【００２６】
図２は、プレイリスト（ユーザ定義再生経路情報）に関連した情報の構造を示す説明図である。
【００２７】
図において、ＶＲフォーマットによってＤＶＤに録画される映像音声情報の管理情報中には、プレイリストを登録するためのエリア（ユーザ定義再生経路情報テーブル）があり、このテーブルにプレイリスト（例えば、Ｕ−ＰＧＣ＃１情報）を登録することでもって、プレイリストを映像音声情報に対応付けることができるようになっている。また、プレイリストは、映像音声情報をセルに分割し、分割したセルをどの順序でもって再生するのかを示す情報となっている。
【００２８】
以上のことから明らかであるが、例えば、Ａなる映像音声情報の上記テーブルに登録されていたプレイリストを複製し、複製したプレイリストをＢなる映像音声情報の上記テーブルに登録するときでは、複製されたプレイリストは、Ｂなる映像音声情報のプレイリストとなる。また、プレイリストにおけるセルの情報は、対応する映像音声情報の記録の開始時刻を０として、経過時間を用いて記述されている。このため、セルに関する情報を書き換えることなく、異なる映像音声情報に転用することが容易となっている。
【００２９】
図１は、本発明に係るディスク記録再生装置の一実施形態であるＤＶＤレコーダの電気的構成を示すブロック線図である。
【００３０】
チューナ部１は、マイクロコンピュータ（以下では、マイコンと称する）７から指示されたチャンネルの商用放送を受信するとともに、受信して得られたアナログ映像音声信号をＡ／Ｄ変換部２に出力する。Ａ／Ｄ変換部２は、チューナ部１から出力されるアナログ映像音声信号をデジタル映像音声信号に変換し、信号処理部３に出力する。Ｄ／Ａ変換部４は、信号処理部３より出力されるデジタル映像音声信号をアナログ映像音声信号に変換し、外部に設けられたテレビ受像機６に出力する。
【００３１】
ディスクドライブ部５は、信号処理部３より出力される圧縮処理された映像音声情報（ＶＲフォーマットによる映像音声情報、等）に対して符号化等の処理を行うことにより得られたデジタル信号を、ＤＶＤ（請求項記載の光ディスクであり、具体的には、ＤＶＤ−ＲＷやＤＶＤ−ＲＡＭ等）１１に記録する。また、ＤＶＤ１１に記録されたデジタル信号を読み出し、復調とエラー訂正等の処理を行うことによって、圧縮された映像音声情報を復調する。そして、復調した映像音声情報を信号処理部３に出力する。
【００３２】
信号処理部３は、エンコード部１４を用いることによって、Ａ／Ｄ変換部２から出力されたデジタル映像音声信号をＭＰＥＧ２（音声情報については、ＡＣ−３等）に従って圧縮処理する。そして後、圧縮処理した映像音声情報を、ビデオフォーマットまたはＶＲフォーマットに基づいて処理し、ディスクドライブ部５に出力する。また、デコード部１５を用いることにより、ディスクドライブ部５より出力される圧縮された映像音声情報を、ビデオフォーマットやＶＲフォーマットに基づいて処理した後、ＭＰＥＧ２（音声情報については、ＡＣ−３等）に従って伸長処理する。そして、伸長処理により得られたデジタル映像音声信号をＤ／Ａ変換部４に出力する。
【００３３】
また、信号処理部３は、オンスクリーンディスプレイ部（以下では、ＯＳＤ部と称する）１６を用いることによって、マイコン７から指示された文字や記号等を示す信号を生成し、映像信号に重畳する。
【００３４】
入力回路部８は、図示されない装置本体の前面パネルに設けられた電源キー等のキースイッチや、リモートコントローラ（以下では、リモコンと称する）９から送信される赤外線信号を受光する受光ユニット等を備えている。そして、ユーザからの指示が入力されると、入力された指示をマイコン７に出力する。
【００３５】
マイコン７は、ＤＶＤレコーダとしての主要動作を制御する。すなわち、リモコン９等に入力されたユーザの指示に従い、チューナ部１が受信するチャンネルを制御する。また、ディスクドライブ部５と信号処理部３とを制御することによって、チューナ部１が受信した番組を、ビデオフォーマットまたはＶＲフォーマットによる映像音声情報としてＤＶＤ１１に記録する。また、ＤＶＤ１１に記録されたビデオフォーマットまたはＶＲフォーマットによる映像音声情報を再生して、テレビ受像機６に表示する。
【００３６】
なお、ＤＶＤ１１に記録された映像音声情報がＶＲフォーマットによる映像音声情報であって、プレイリストに基づく再生を指示されたときには、ディスクドライブ部５と信号処理部３とにより構成される記録再生手段１０に、再生対象となる映像音声情報に対応付けられたプレイリストに従って、ＤＶＤ１１の再生を行わせる。また、マイコン７は、その機能の一部でもって、取得手段２１、複製手段２２、標識位置指示手段２３、および、区切位置修正手段２４を構成する。
【００３７】
取得手段２１は、予め生成されたプレイリストであって、ユーザによって指示されたプレイリストを取得する。そして、取得したプレイリストを複製手段２２に与える。なお、マイコン７は、複数のプレイリストを記憶することが可能な記憶容量のメモリを備えていない（ディスクドライブ部５の再生位置にあるＤＶＤ１１に記録されているプレイリストを記憶可能な程度のメモリを備えているに過ぎない）。このため、取得手段２１に取得させるプレイリストの指示は、取得させたいプレイリストが記録されているＤＶＤ１１をディスクドライブ部５に挿入し、読み取らせることでもって行われる。
【００３８】
複製手段２２は、取得手段２１から与えられたプレイリスト（原プレイリスト）におけるセルの区切り位置と同じ区切り位置を有するプレイリスト（複製プレイリスト）を生成する。そして、生成した複製プレイリストを、原プレイリストが対応付けられていた映像音声情報とは異なる映像音声情報に対応付ける。すなわち、原プレイリストが、例えば、連続ドラマの第２回の放送分に対応付けられていたプレイリストであるとすると、複製プレイリストは、連続ドラマの第３回以降の放送分に対応付けられる。
【００３９】
標識位置指示手段２３は、複製プレイリストにおける区切り位置への対応付けが可能な位置である標識位置（例えば、１回目のＣＭの終了する位置）を、複製プレイリストに対応付けられた映像音声情報である適用映像音声情報中に探すことを求める。そして、適用映像音声情報中に標識位置が探し求められたときには、探し求められた標識位置を示す情報（１回目のＣＭの終了した時刻を示す情報）を区切位置修正手段２４に送出する。
【００４０】
区切位置修正手段２４は、複製プレイリストにおいて標識位置に対応する区切り位置（第２回目の放送分において１回目のＣＭが終了した時刻）と、探し求められた標識位置（第３回目の放送分において１回目のＣＭが終了した時刻）との差異分を求める。そして、複製プレイリストにおける全ての区切り位置を、求めた差異分を用いて修正する。また、区切位置修正手段２４は、複製プレイリストの区切り位置の個別の変更を受け付ける。
【００４１】
図３は、録画した番組のプレイリストを生成するときの実施形態の主要動作を示すフローチャート、図４、図５は、録画した番組のためにプレイリストを複製するときの実施形態の主要動作を示すフローチャートである。必要に応じて同図を参照しつつ、実施形態の動作を説明する。なお、以下の説明では、記録された映像音声情報を番組と称する。
【００４２】
いま、例えば、連続ドラマの２回目の放送分をＤＶＤ１１に録画したとする（ステップＳ１）。そして、メニュー画面からプレイリストの画面（図９参照）に移行し（ステップＳ２）、この画面においてプレイリストの生成を選択したとする（ステップＳ３）。そして、プレイリストの生成のために表示される画面において、録画した番組を、速送り再生や通常再生やスロー再生等の表示方法を用いて表示させつつ、ＣＭの開始位置と終了位置とを、区切り位置として指示する（ステップＳ４）。この指示が終了すると、マイコン７は、指示された区切り位置に基づくプレイリストを生成し（ステップＳ５）、生成したプレイリストを、録画した連続ドラマ（第２回目の放送分）に対応付けて、ＤＶＤ１１に記録する（ステップＳ６）。すなわち、プレイリストを生成してＤＶＤ１１に記録する動作は従来技術と同一となっている。
【００４３】
そして、次の週に、上記した連続ドラマの３回目の放送分をＤＶＤ１１に録画したとする（ステップＳ１１）。そして、メニュー画面からプレイリストの画面に移行し（ステップＳ２）、この画面においてプレイリストの複製を選択したとする（ステップＳ１３）。このときでは、取得手段２１は、複製の対象となるプレイリストが記録されたＤＶＤ１１を、現在のＤＶＤ１１と取り換えることを指示するメッセージを表示する。また、トレイをオープンする（ステップＳ１４）。
【００４４】
ユーザは、トレイに載置されていたＤＶＤ１１を、上記した２回目の放送分の連続ドラマが録画されたＤＶＤに取り換え、トレイをクローズする（ステップＳ１５）。取得手段２１は、ＤＶＤ１１に記録された番組を、タイトル名、録画の日時と時刻、チャンネル、等の情報を用いて一覧表示する（ステップＳ１６）。そして、一覧表示された番組から、該当する番組の選択をユーザに求めるメッセージを表示する（ステップＳ１７）。なお、ＤＶＤ１１に記録されていた番組が１つだけであるときには、表示された番組でよいのかどうかの確認を求める。
【００４５】
該当する番組が選択されたときには、取得手段２１は、選択された番組に対応付けられたプレイリストを読み込み、内部に記憶する（ステップＳ１８）。次いで、元のＤＶＤ（３回目の放送分が録画されたＤＶＤ）との取り換えを指示するメッセージを表示し、トレイをオープンする（ステップＳ１９）。このメッセージに応じて、ユーザは、トレイのＤＶＤを元のＤＶＤと交換し、トレイをクローズする（ステップＳ２０）。
【００４６】
複製手段２２は、取得手段２１が記憶したプレイリスト（原プレイリスト）を、現在再生位置にあるＤＶＤ１１に記録された番組（適用映像音声情報）のためのプレイリスト（複製プレイリスト）であるとして、図１０に示すように、プレイリストの区切り位置に対応する画面を静止画としてサムネイル表示する（ステップＳ２１）。また、チャプタ（セル）の区切り位置について、一斉修正を行うかどうか、個別修正を行うかどうか、修正なしとするかどうかの選択のためのボタンを表示する（ステップＳ２２）。
【００４７】
図６は、プレイリストにおける区切り位置と番組の放送内容との対応関係を示す説明図であり、５２は上記方法によって記憶されたプレイリスト、４２はプレイリスト５２が元々対応付けられていた番組、４３はプレイリスト５２が新たに対応付けられた番組を示している。
【００４８】
既に説明したように、番組４２は、連続ドラマの２回目の放送分であり、番組４３は、同じ連続ドラマの３回目の放送分となっている。従って、放送の開始時刻を基準として、同じタイミングで、同じ長さのＣＭが挿入されることになる。このため、録画の開始時刻が、番組４２の場合と番組４３の場合とで全く同一であるとすると、番組４２における本編４２２の開始時刻と、番組４３における本編４３２の開始時刻とは同じとなる。また、番組４２におけるＣＭ４２３の開始時刻と番組４３におけるＣＭ４３３の開始時刻、番組４２における本編４２４の開始時刻と番組４３における本編４３４の開始時刻、および、番組４２におけるＣＭ４２５の開始時刻と番組４３におけるＣＭ４３５の開始時刻は同じとなる。
【００４９】
つまり、番組４２におけるＣＭ４２１を示していたセル１（５２１）は、番組４３におけるＣＭ４３１を示することになる。以下、セル２（５２２）は本編４３２、セル３（５２３）はＣＭ４３３、セル４（５２４）は本編４３４、セル５（５２５）はＣＭ４３５を示すことになる。すなわち、プレイリスト５２は、番組４３のＣＭ４３１，４３３，４３５の開始位置と終了位置とを探し出し、探し出した位置を区切り位置として生成したプレイリストと同一内容となる。
【００５０】
以上のことから、図９に示す表示となったとき、修正なしボタンを操作すると、複製手段２２は、プレイリスト５２を番組４３のプレイリスト（複製プレイリスト）であるとして、現在再生位置にあり、番組４３が録画されたＤＶＤ１１に、番組４３に対応付ける形で、プレイリスト５２を記録する（ステップＳ３１，Ｓ４１，Ｓ５１）。従って、以後では、番組４３を再生しているとき、例えば、ＣＭ４３３の再生が開始された時点でスキップアップキーを押下すると、再生位置が、本編４３４の開始時刻Ｔ１４に移行する。
【００５１】
図７は、例えば、連続ドラマの４回目の放送分を録画したとき、録画の開始時刻が、２回目の放送分の録画の開始時刻より早くなったときのプレイリストと番組との関係を示している。すなわち、４回目の放送分の番組４４は、時刻Ｔ３１に開始されているにもかかわらず、時刻Ｔ３１より期間ｔ１だけ早い時刻Ｔ２１から録画が開始されている。従って、プレイリスト５２における区切り位置を示す時刻Ｔ１２〜Ｔ１５は、番組４４のＣＭ４４１の終了時刻Ｔ２２、ＣＭ４４３の開始時刻Ｔ２３、ＣＭ４４３の終了時刻Ｔ２４、ＣＭ４４５の開始時刻Ｔ２５のそれぞれに対して、同じ期間ｔ１だけずれている。
【００５２】
このため、一斉修正のボタンが押下された場合、標識位置指示手段２３は、プレイリスト（複製プレイリスト）５２における区切り位置（例えば、時刻Ｔ１２）への対応付けが可能な位置である標識位置（１回目のＣＭ４４１の終了時刻Ｔ２２）を、プレイリスト５２に対応付けられた番組４４中に探すための画面を表示する（ステップＳ３１，Ｓ４１，Ｓ４２）。つまり、１回目のＣＭ４４１の終了位置を探し出す（時刻Ｔ２２の具体的な値を指し示す）ことをユーザに求める。このため、ユーザは、番組４４を速送り再生や通常再生やスロー再生することによって、ＣＭ４４１の終了位置を探し出し、探し出した位置を指示する。指示された位置は、番組４４における時刻Ｔ２２を示す情報として、区切位置修正手段２４に与えられる（ステップＳ４３）。
【００５３】
区切位置修正手段２４は、時刻Ｔ２２の具体的な値と、プレイリスト５２において、標識位置に対応付けられた区切り位置である時刻Ｔ１２の具体的な値との差異分を求める（ステップＳ４４）。そして、求めた差異分（ｔ１）を用いて、プレイリスト５２の区切り位置の全て（時刻Ｔ１２〜Ｔ１５）を修正する。すなわち、区切り位置Ｔ１２を、時刻Ｔ１２に差異分ｔ１を加算した位置Ｔ２２に修正する。また、区切り位置Ｔ１３を、時刻Ｔ１３に差異分ｔ１を加算した位置Ｔ２３に、区切り位置Ｔ１４を、時刻Ｔ１４に差異分ｔ１を加算した位置Ｔ２４に、区切り位置Ｔ１５を、時刻Ｔ１５に差異分ｔ１を加算した位置Ｔ２５に修正する。その結果、プレイリスト５２は修正されて、プレイリスト５４となる（ステップＳ４５）。そして後、プレイリスト５４は、番組４４に対応付けられる形で、ＤＶＤ１１に記録される（ステップＳ４６）。
【００５４】
図８は、連続ドラマの５回目の放送分を録画したときの番組とプレイリストとの関係を示しており、５回目の放送分においては、番組４５の中間部分に挿入されたＣＭ４５３の位置が、２回目〜４回目の放送分の番組より少し早められている。すなわち、複製されたプレイリスト５２におけるセル３（５２３）が示す位置と、ＣＭ４５３の位置とにずれが生じている。つまり、時刻Ｔ１３と時刻Ｔ１４とが、ずれた時刻となっている。このようなときには個別修正を選択する。
【００５５】
個別修正を選択すると、プレイリスト５２における個々の区切り位置を修正するための画面（図示を省略）が表示される（ステップＳ３１，Ｓ３２）。なお、区切り位置を、個々に修正する操作は従来技術と同じとなっている。つまり、番組４５を、速送り再生や通常再生、あるいは、スロー再生、等を行うことによって、ＣＭ４５３の開始時刻Ｔ３３を探し出し、プレイリスト５２における区切り位置（時刻Ｔ１３）を、探し出した時刻Ｔ３３に修正する。また、同様に、区切り位置（時刻Ｔ１４）を、探し出した時刻Ｔ３４に修正する（ステップＳ３３）。
【００５６】
その結果、プレイリスト５２は修正されて、プレイリスト５５となる。そして後、プレイリスト５５は、番組４５に対応付けられる形で、ＤＶＤ１１に記録される（ステップＳ４６）。
【００５７】
なお、本発明は上記実施形態に限定されず、大容量のメモリを備える場合では、既に生成されたプレイリストをメモリに記憶するようにし、複製の対象となるプレイリストを、メモリに記憶したプレイリストから選択させるようにする構成とすることができる。また、ハードディスクドライブ（ＨＤＤ）を備える場合も同様であり、既に生成されたプレイリストをＨＤＤに記憶するようにし、複製の対象となるプレイリストを、ＨＤＤに記憶したプレイリストから選択させるようにする構成とすることができる。
【図面の簡単な説明】
【００５８】
【図１】本発明に係るディスク記録再生装置の一実施形態であるＤＶＤレコーダの電気的構成を示すブロック線図である。
【図２】プレイリスト（ユーザ定義再生経路情報）の関連情報の構造を示す説明図である。
【図３】録画した番組のプレイリストを生成する場合の実施形態の主要動作を示すフローチャートである。
【図４】録画した番組のためにプレイリストを複製する場合の実施形態の主要動作を示すフローチャートである。
【図５】録画した番組のためにプレイリストを複製する場合の実施形態の主要動作を示すフローチャートである。
【図６】録画された番組におけるＣＭの位置とプレイリストの区切り位置との関係を示す説明図である。
【図７】録画された番組におけるＣＭの位置とプレイリストの区切り位置との関係を示す説明図である。
【図８】録画された番組におけるＣＭの位置とプレイリストの区切り位置との関係を示す説明図である。
【図９】プレイリストの処理の選択画面を示す説明図である。
【図１０】プレイリストの修正の選択画面を示す説明図である。
【符号の説明】
【００５９】
１０  記録再生手段
１１  ＤＶＤ（光ディスク）
２１  取得手段
２２  複製手段２２
２３  標識位置指示手段
２４  区切り位置修正手段
４２〜４５  録画された番組（映像音声情報）
５２，５４，５５  複製プレイリスト
【図１】
2006331502.tif 000003
【図２】
2006331502.tif 000004
【図３】
2006331502.tif 000005
【図４】
2006331502.tif 000006
【図５】
2006331502.tif 000007
【図６】
2006331502.tif 000008
【図７】
2006331502.tif 000009
【図８】
2006331502.tif 000010
【図９】
2006331502.tif 000011
【図１０】
2006331502.tif 000012